(57)【要約】      （修正有）【課題】用水路内水量増大時における取水量の自動制限を可能とする流量制御板連動型倒伏堰を提供する。【解決手段】両側壁２、３と該側壁間に位置する流路よりなる用水路１に設けられる起伏型の可動堰において、流路中間適所に境界立柱４を設けて一方を排水路に他方を取水路に区分けし、排水路に起伏可能なる排水量制御板１０を取水路に起伏可能なる取水量制御板１１を各々設け、境界立柱適所に、複数個の回動体を有するワイヤー方向変換装置２０を設けるとともに、該回動体に接して方向変換する引張ワイヤー１２を設け、該ワイヤー１２の一端を排水量制御板１０に他端を取水量制御板１１に各々取り付け、排水路側適所に中空のフロートガイドを設けるとともに、該フロートガイド内を水位により昇降可能なるワイヤー吊下のフロートを設け、該フロートの昇降により排水量制御板１０のロック解除を可能とする自動倒伏機構を設ける。【選択図】図１
0003206906.tif 000002
【実用新案登録請求の範囲】
【請求項１】
両側壁と該側壁間に位置する流路よりなる用水路に設けられる起伏型の可動堰において、流路中間適所に境界立柱を設けて一方を排水路に他方を取水路に区分けし、排水路に起伏可能なる排水量制御板を取水路に起伏可能なる取水量制御板を各々設け、境界立柱適所に、複数個の回動体を有するワイヤー方向変換装置を設けるとともに、該回動体に接して方向変換する引張ワイヤーを設け、該ワイヤーの一端を排水量制御板に他端を取水量制御板に各々取り付け、排水路側適所に中空のフロートガイドを設けるとともに、該フロートガイド内を水位により昇降可能なるワイヤー吊下のフロートを設け、該フロートの昇降により排水量制御板のロック解除を可能とする自動倒伏機構を設けることにより、用水路流量の増加を検知して排水量制御板の倒伏および取水量制御板の起立の連動を可能としたことを特徴とする流量制御板連動型倒伏堰。
【請求項２】
自動倒伏機構を、クラッチブレーキとこのクラッチブレーキのＯＮとＯＦＦの切りかえを行う倒伏レバーと、該クラッチブレーキに接続される巻き取りドラムと、該巻き取りドラムに巻回されるロックワイヤーとを有し、ロックワイヤー他端を排水量制御板に固定し、フロートを倒伏レバーよりフロートワイヤーにて吊下したものとした請求項１記載の流量制御板連動型倒伏堰。
【請求項３】
排水路下面に対し取水路下面を上方位置としてなる請求項１または２記載の流量制御板連動型倒伏堰。
【考案の詳細な説明】
【技術分野】
【０００１】  この考案は、用水路における排水路流量と取水路流量を連動方式にて制御可能なる、流量制御板連動型の倒伏堰に関する。
【背景技術】
【０００２】  従来より、倒伏堰が多用されているが、本案にて示すように、連動型の流量制御板を用いたものは見当たらない。
【考案の概要】
【考案が解決しようとする課題】
【０００３】  従来より用水路は、ダム貯水池、溜め池、河川や海から用水を引き入れるための施設として多用され、また、稲作などの灌漑用としても広く用いられている。
この用水路には、取水量を制御するために堰がよく用いられている。この堰は、固定堰と可動堰とに大別される。固定堰は、門扉などの可動部を有せず、水中に石積みやコンクリートなどの構造物を設けて水を堰き止めるだけの単純なもので、古くから設置されてきたが、流量などの制御はできない。
可動堰は、門扉などの可動部を有する堰で、流量を制御し、洪水時には水を迅速に流下させることができる。また、可動堰は可動部の構造によって引き上げ堰と起伏堰に大別される。引き上げ堰は上下に開閉する門扉を有するものであり、起伏堰は水中の構造物を起こしたり倒したりして水を制御するものである。
水量増大時には、従来より対応手段の一つとして角落とし（両側の堰柱に縦溝をつけ、数本の角材を落とし入れて、水流を調整したり堰き止めたりする装置）にて水位を変えて取水路に水を流しており、洪水時には人力にて排水路の角落としを外して取水路に角落としを入れるという危険な作業を行っており、より安全で効果的な手段が望まれている。
本案は以上に鑑み、取水路と排水路に各々倒伏方式の流量制御板を連動型として用いることにより、洪水などの水量増大時に、自動的に取水制御し得る新規かつ有用なる手段を提供することを目的として開発されたものである。
【課題を解決するための手段】
【０００４】  課題を解決する手段として本案は以下の構成とした。
すなわち、両側壁と該側壁間に位置する流路よりなる用水路に設けられる起伏型の可動堰において、流路中間適所に境界立柱を設けて一方を排水路に他方を取水路に区分けし、排水路に起伏可能なる排水量制御板を取水路に起伏可能なる取水量制御板を各々設け、境界立柱適所に、複数個の回動体を有するワイヤー方向変換装置を設けるとともに、該回動体に接して方向変換する引張ワイヤーを設け、該ワイヤーの一端を排水量制御板に他端を取水量制御板に各々取り付け、排水路側適所に中空のフロートガイドを設けるとともに、該フロートガイド内を水位により昇降可能なるワイヤー吊下のフロートを設け、該フロートの昇降により排水量制御板のロック解除を可能とする自動倒伏機構を設けることにより、用水路流量の増加を検知して排水量制御板の倒伏および取水量制御板の起立の連動を可能とする。
本案は以上の構成よりなる流量制御板連動型倒伏堰である。
【考案の効果】
【０００５】  本案は下記の効果を有する。
１．用水路を排水路と取水路に二分し、各々に起伏型の水量制御板を設け、各制御板の起  伏を連動型としたので、自由排水と取水制限を同期的に行うことができる。
２．排水量制御板の自動倒伏機構を設けるとともに、この自動倒伏をフロート位置感知に  よるものとしたので、無人状態における自動排水と自動取水制限を行うことができる。
３．市販の手動開閉機を用いることにより、比較的シンプルな構成による低価格での提供  を可能とすることができる。
【図面の簡単な説明】
【０００６】
【図１】  本考案の全体構成説明図（一部簡略表示）
【図２】  本考案の要部構成説明図
【図３】  本考案の用水路方向による構成説明図
【図４】  従来例の説明図（排水路）
【図５】  本考案の機能説明図（排水量制御板起立時）
【図６】  本考案の機能説明図（取水量制御板倒伏時）
【図７】  本考案の機能説明図（排水量制御板倒伏移行時）
【図８】  本考案の機能説明図（取水量制御板起立移行時）
【図９】  本考案の機能説明図（排水量制御板倒伏時）
【図１０】  本考案の機能説明図（取水量制御板起立時）
【考案を実施するための最良の形態】
【０００７】  以下、本考案の実施形態について説明する。
図において、１は用水路、２は排水側側壁、３は取水側側壁である。４は境界立柱で、用水路の左右中程に立設固定されるコンクリート製物体で、その上面位置は前記側壁とほぼ同一である。この境界立柱にて排水路と取水路が設定される。また、図１のごとく天板５が設けられる。１０は排水量制御板で、その左右を排水路の内壁に近接させて位置する長方形状の金属板体であって、その一辺を適宜支持部材にて基点として起立倒伏可能に設けられる。１１は上記同様に設けられる取水量制御板である。１２は引張ワイヤーで、その一端は前記の排水量制御板に他端は取水量制御板に各々取り付けられる。
２０は引張ワイヤー方向変換装置であり、以下の構成による。【０００８】  ２１は板状の主体で、境界立柱に取り付けられる。回動体として以下の各プーリーが設けられる。２２は排水路側縦プーリー、２３は排水路側横プーリー、２４は取水路側横プーリー、２５は取水路側縦プーリーで、各プーリーは図２のごとく、主体に対し回動可能に軸支される。以上の主体と各プーリーにてワイヤー方向変換装置が構成される。
前記のように、引張ワイヤーの一端は排水量制御板に取り付けられるが、そのワイヤーは上方に伸びて排水路側縦プーリーに一部巻回され、該プーリーを介して排水路側横プーリーに到る。次に取水路側横プーリーと取水路側縦プーリーを介して取水量制御板に他端が取り付けられる。ワイヤー長設定にて、以下の機能が発生する。【０００９】  すなわち、排水量制御板が倒伏すると引張ワイヤーは引っ張られて各プーリーを介して取水量制御板を起立させ、逆に取水量制御板が倒伏すると上記と逆の働きで排水量制御板は起立する。従って、一方の制御板が起立すると他方の制御板は倒伏するという関係となる。降雨量の増加等にて用水路流水量は増大するが、取水制限を行うときは取水量制御板を起立させることになるが、前記の各制御板と引張ワイヤーとの関係にて、排水量制御板の回動にて、この関係が成り立つこととなる。
以上の機能を発揮させるために、市販の手動開閉機とフロートとの組み合わせによる自動倒伏機構が設けられる。まず、手動開閉機について説明する。【００１０】  この手動開閉機は、既述の可動堰の制御に用いるもので、ハンドルを回してワイヤーロープを巻き上げる機構を有し、ハンドルの逆転防止機構、内部ローラーチェーン減速機構、遠心ブレーキ、クラッチブレーキ等を有するもので、フロートを併用して用いる。
図５にて示すように、天板下方に流路と連通している筒状のフロートガイド３２を設け、このフロートガイド中に中空のフロート３１を、フロートワイヤー３３にて吊下位置させる。このフロートワイヤーの上端は手動開閉機に設けられた倒伏レバー３４に固定されている。この倒伏レバーの動きによって手動開閉機に装備されているクラッチと連携関係にある巻き取りドラム３５が制御され、この巻き取りドラムにはロックワイヤー３６が巻回されている。
以上の機構から以下の機能が有効となる。【００１１】  すなわち、増水により排水路の通過水量が増大することにて水面位置が上昇する。
この水面位置の上昇にてフロートは上昇し、倒伏レバーの角度が変化して、手動開閉機内のクラッチが外れるために、巻き取りドラムはフリー状態となり、これにてロックワイヤーの可動が可能となる。ロックワイヤーが可動となれば、既述の機構が働いて排水量制御板は水流の力にて倒伏状態となり、また、取水量制御板は起立状態となるために、自動的に取水制限を行うことができる。
時間の経過とともに、流水量が減少すれば水面は低下してフロートは下がり、巻き取りドラムはロック状態となるので、手動開閉機の操作およびハンドル操作にてロックワイヤーを巻き上げて初期状態すなわち、排水量制御板を起立位置に取水量制御板を倒伏位置として、適宜な取水状態とすることができる。【００１２】  以上、本案について記したが、本案は排水量制御板と取水量制御板を連動するよう構成し、一方を倒伏としたとき他方を起立させて、取水量の自動制御を可能としたところにその特徴を有している。
従来法は既述のごとく、角落としもしくは手動による水量制御板の倒伏もしくは起立による排水と取水の制御であり、危険を伴ったり、その都度の人為的作業が必要であったが、本案にて用水路の水量増加時における排水と取水の制御ができて、安全かつ小労力による対応が可能となったのである。なお、既例ではワイヤーを用いたが、他の可撓性長尺物例えばチェーンとスプロケットを用いる方法も可能である。また、排水量制御板の倒伏方法は多段式であり、倒伏中に水位が下がればその時点で倒伏を停止し、また倒伏水位に達すると倒伏が再開する方式である。すなわち、フロートが設定上下位置に到ればクラッチがフリーとなって制御板のロックが外れ、排水量制御板は倒伏方向へと回動し、排水量が増加する。この排水量増加によって水位が下がってフロートが設定上下位置より下がれば、再び倒伏のロックがかかって倒伏方向への回動が停止する。【００１３】  各図にて示すように、排水路下面に対し取水路下面は上方位置にある。
これは、双方同一面とすると、排水量制御板へかかる水流圧と取水量制御板へかかる水流圧とが等しくなって、排水量制御板への倒伏力がかからなくなることを防止するために設けた構造である。なお、既述の例は実施の一例であって近似の他の構成としてもよい。
以上のごとく、本案によって水量変化に対応した取排水を可能とする有用なる手段を得ることができる。
【符号の説明】
【００１４】  １    用水路
２    排水側側壁
３    取水側側壁
４    境界立柱
５    天板
１０  排水量制御板
１１  取水量制御板
１２  引張ワイヤー
２０  引張ワイヤー方向変換装置
２１  主体
２２  排水路側縦プーリー
２３  排水路側横プーリー
２４  取水路側横プーリー
２５  取水路側縦プーリー
３０  手動開閉機
３１  フロート
３２  フロートガイド
３３  フロートワイヤー
３４  倒伏レバー
３５  巻き取りドラム
３６  ロックワイヤー
【図１】
0003206906.tif 000003
【図２】
0003206906.tif 000004
【図３】
0003206906.tif 000005
【図４】
0003206906.tif 000006
【図５】
0003206906.tif 000007
【図６】
0003206906.tif 000008
【図７】
0003206906.tif 000009
【図８】
0003206906.tif 000010
【図９】
0003206906.tif 000011
【図１０】
0003206906.tif 000012